(57)【要約】      （修正有）【課題】温度センサーの取り付け位置（液晶表示パネルに対する相対位置関係）にかかわらず、常に適切な強調変換データを求めて、液晶表示パネルに供給することにより、高画質の画像表示を実現することが可能な液晶表示装置を提供する。【解決手段】少なくとも１垂直表示期間前の画像データと現垂直表示期間の画像データとの比較を行い、該比較結果から得られる強調変換パラメータに基づいて、液晶表示パネル５へ供給する画像データを強調変換することにより、前記液晶表示パネル５の光学応答特性を補償する液晶表示装置において、装置内温度を検出する温度センサー８と、前記温度センサー８により検出された温度データに含まれる、前記液晶表示パネル５の温度に対する誤差を補正するとともに、該補正された温度データに基づいて、前記強調変換パラメータを可変制御する制御ＣＰＵ１９とを備えたものである。【選択図】図１
2011008270.tif 000002
【特許請求の範囲】
【請求項１】
液晶表示装置内温度を検出する温度検出手段と、
少なくとも１垂直期間前の画像データと現垂直期間の画像データとの比較を行って得られる強調変換パラメータを、前記温度検出手段により検出した温度データに応じて制御する制御手段とを備えた液晶表示装置であって、
前記制御手段は、前記温度データと、
当該装置の直前の電源停止時刻或いは電源停止後経過時間と、
該電源停止時の前記温度データに含まれる液晶表示パネルの温度に対する誤差を除去または吸収するための補正量とを用い、前記強調変換パラメータを求めることを特徴とする液晶表示装置。
【発明の詳細な説明】
【技術分野】
【０００１】
本発明は、液晶表示パネルを用いて画像を表示する液晶表示装置に関し、特に液晶表示パネルの光学応答特性を改善することができる液晶表示装置に関するものである。
【背景技術】
【０００２】
近来、パーソナルコンピュータやテレビ受信機などの軽量化、薄形化によってディスプレイ装置も軽量化、薄形化が要求されており、このような要求に従って陰極線管（ＣＲＴ）の代わりに液晶表示装置（ＬＣＤ）のようなフラットパネル型ディスプレイが開発されている。
【０００３】
ＬＣＤは二つの基板の間に注入されている異方性誘電率を有する液晶層に電界を印加し、この電界の強さを調節して基板を透過する光の量を調節することによって所望の画像信号を得る表示装置である。このようなＬＣＤは携帯の簡便なフラットパネル型ディスプレイのうちの代表的なものであり、この中でも薄膜トランジスタ（ＴＦＴ）をスイッチング素子として用いたＴＦＴ ＬＣＤが主に用いられている。
【０００４】
最近は、ＬＣＤがコンピュータのディスプレイ装置だけでなくテレビ受信機のディスプレイ装置として広く用いられるため、動画像を具現する必要が増加してきた。しかしながら、従来のＬＣＤは応答速度が遅いために動画像を具現するのは難しいという短所があった。
【０００５】
このような液晶の応答速度の問題を改善するために、１フレーム前の入力画像信号と現フレームの入力画像信号の組み合わせに応じて、予め決められた現フレームの入力画像信号に対する階調電圧より高い（オーバーシュートされた）駆動電圧或いはより低い（アンダーシュートされた）駆動電圧を液晶表示パネルに供給する液晶駆動方法が知られている。以下、本願明細書においては、この駆動方式をオーバーシュート（ＯＳ）駆動と定義する。
【０００６】
また、液晶の応答速度は温度依存性が非常に大きいことが知られており、液晶表示パネルの温度が変化しても、これに対応して表示品位を損なうことなく、常に階調変化の応答速度を最適な状態に制御する液晶パネル駆動装置が、例えば特開平４−３１８５１６号公報に記載されている。
【０００７】
このように、使用環境温度に応じて、液晶表示パネルの光学応答特性を補償すべくオーバーシュート駆動を行うものについて、図１１乃至図１５とともに説明する。ここで、図１１は従来の液晶表示装置の要部構成を示すブロック図、図１２はＯＳテーブルメモリの内容例を示す説明図、図１３は制御ＣＰＵの概略構成を示す機能ブロック図、図１４は装置内温度と参照テーブルメモリとの関係を示す説明図、図１５は液晶に加える電圧と液晶の応答との関係を示す説明図である。
【０００８】
図１１において、１ａ〜１ｄは入力画像データの１フレーム期間前後における階調遷移に応じた印加電圧データ（強調変換パラメータ）を、装置内温度毎に対応して格納しているＯＳテーブルメモリ（ＲＯＭ）、２は入力画像データを１フレーム分記憶するフレームメモリ（ＦＭ）、３はこれから表示するＭ番目のフレームの入力画像データ（Current Data）と、フレームメモリ２に保存されたＭ−１番目のフレームの入力画像データ(Previous Data)とを比較し、該比較結果（階調遷移）に対応する強調変換パラメータをＯＳテーブルメモリ（ＲＯＭ）１ａ〜１ｄのいずれかより読み出して、この強調変換パラメータに基づいてＭ番目のフレームの画像表示に要する強調変換データ（書込階調データ）を決定する強調変換部である。
【０００９】
また、４は強調変換部３からの強調変換データに基づいて、液晶表示パネル５のゲートドライバ６及びソースドライバ７に液晶駆動信号を出力する液晶コントローラ、８は当該装置内の温度を検出するための温度センサー、９は温度センサー８で検出された装置内温度に応じて、ＯＳテーブルメモリ（ＲＯＭ）１ａ〜１ｄのいずれかを選択して、強調変換パラメータを切り替えるための切替制御信号を強調変換部３に出力する制御ＣＰＵである。
【００１０】
ここで、ＯＳテーブルメモリ（ＲＯＭ）１ａ〜１ｄに格納されている強調変換パラメータLEVEL 1〜LEVEL 4は、それぞれ基準温度Ｔ1、Ｔ2、Ｔ3、Ｔ4（Ｔ1＜Ｔ2＜Ｔ3＜Ｔ4）の環境下における、液晶表示パネル５の光学応答特性の実測値から予め得られるものであり、それぞれの強調変換度合いはLEVEL 1＞LEVEL 2＞LEVEL 3＞LEVEL 4の関係となっている。
【００１１】
尚、例えば表示信号レベル数すなわち表示データ数が８ビットの２５６階調である場合、ＯＳテーブルメモリ（ＲＯＭ）１ａ〜１ｄには、２５６の全ての階調に対する強調変換パラメータ（実測値）を持っていても良いが、例えば図１２に示すように、３２階調毎の９つの代表階調についての９×９の強調変換パラメータ（実測値）のみを記憶しておき、その他の階調に対する強調変換信号は、上記実測値から線形補完等の演算で求めるように構成することで、ＯＳテーブルメモリ（ＲＯＭ）の記憶容量を抑制することができる。
【００１２】
また、制御ＣＰＵ９は、図１３に示すように、温度センサー８による温度検出データを、予め決められた所定の閾値温度データ値Ｔｈ1（＝（Ｔ1＋Ｔ2）／２），Ｔｈ2（＝（Ｔ2＋Ｔ3）／２），Ｔｈ3（＝（Ｔ3＋Ｔ4）／２）と比較する閾値判別部９ａと、該閾値判別部９ａによる比較結果に応じて、ＯＳテーブルメモリ（ＲＯＭ）１ａ〜１ｄのいずれかを選択し、強調変換パラメータLEVEL 1〜LEVEL 4を切り替えるための切替制御信号を生成して出力する制御信号出力部９ｂとを有している。
【００１３】
ここでは、例えば図１４に示すように、温度センサー８で検出された装置内温度Ｔが切替閾値温度Ｔｈ1（＝１０℃）以下であれば、制御ＣＰＵ９は強調変換部３に対し、ＯＳテーブルメモリ（ＲＯＭ）１ａを選択して参照するように指示する。これによって、強調変換部３はＯＳテーブルメモリ（ＲＯＭ）１ａに格納されている強調変換パラメータLEVEL 1を用いて、入力画像データの強調変換処理を行う。
【００１４】
また、温度センサー８で検出された装置内温度Ｔが切替閾値温度Ｔｈ1（＝１０℃）より大きく且つ切替閾値温度Ｔｈ2（＝２０℃）以下であれば、制御ＣＰＵ９は強調変換部３に対し、ＯＳテーブルメモリ（ＲＯＭ）１ｂを選択して参照するように指示する。これによって、強調変換部３はＯＳテーブルメモリ（ＲＯＭ）１ｂに格納されている強調変換パラメータLEVEL 2を用いて、入力画像データの強調変換処理を行う。
【００１５】
さらに、温度センサー８で検出された装置内温度Ｔが切替閾値温度Ｔｈ2（＝２０℃）より大きく且つ切替閾値温度Ｔｈ3（＝３０℃）以下であれば、制御ＣＰＵ９は強調変換部３に対し、ＯＳテーブルメモリ（ＲＯＭ）１ｃを選択して参照するように指示する。これによって、強調変換部３はＯＳテーブルメモリ（ＲＯＭ）１ｃに格納されている強調変換パラメータLEVEL 3を用いて、入力画像データの強調変換処理を行う。
【００１６】
そしてまた、温度センサー８で検出された装置内温度Ｔが切替閾値温度Ｔｈ3（＝３０℃）より大きければ、制御ＣＰＵ９は強調変換部３に対し、ＯＳテーブルメモリ（ＲＯＭ）１ｄを選択して参照するように指示する。これによって、強調変換部３はＯＳテーブルメモリ（ＲＯＭ）１ｄに格納されている強調変換パラメータLEVEL 4を用いて、入力画像データの強調変換処理を行う。
【００１７】
一般的に液晶表示パネルにおいては、ある中間調から別の中間調に変更させる時間は長く、また低温時の入力信号に対する追従性が極端に悪くなり、応答時間が増大するため、中間調を１フレーム期間（例えば60Hzのプログレッシブスキャンの場合は16.7msec）内に表示することができず、残像が発生するだけでなく、中間調を正しく表示することができないという課題があったが、上述のオーバーシュート駆動回路を用いることにより、図１５に示すように、目標の中間調を短時間（１フレーム期間内）で表示することが可能となる。
【先行技術文献】
【特許文献】
【００１８】
【特許文献１】特開平４−３６５０９４号公報
【特許文献２】特開平４−３１８５１６号公報
【発明の概要】
【発明が解決しようとする課題】
【００１９】
ところで、例えば直下型バックライト方式の液晶表示装置の背面から見た概略構成例を図１６に示す。図１６において、１１は液晶表示パネル５を背面から照射するための蛍光ランプ、１２は蛍光ランプ１１を点灯駆動するためのインバータトランス、１３は電源ユニット、１４は映像処理回路基板、１５は音声処理回路基板である。ここで、液晶表示パネル５の応答速度特性に大きな影響を及ぼす発熱作用をもつのは、蛍光ランプ１１の電極部、インバータトランス１２、電源ユニット１３である。
【００２０】
一方、温度センサー８は、その本来の目的から液晶表示パネル５内に設けることが望ましいが、これは困難であるため、回路基板などの他部材に取り付ける必要がある。そこで、各構成部材１１〜１５を例えば図１６に示すような配置とした場合、できるだけ正確に液晶表示パネル５の温度を検出するために、インバータトランス１２、電源ユニット１３の発熱作用の影響を最も受け難い音声処理回路基板１５に温度センサー８を取り付けて、この温度センサー８の検出出力を、映像処理回路基板１４に設けられたオーバーシュート駆動回路で利用することになる。
【００２１】
従って、温度センサー８の取り付け位置の制約により、温度センサー８は液晶表示パネル５そのものの温度を検出することができず、例えば図１７に示すように、温度センサー８による検出温度の上昇カーブと、液晶表示パネル５における実際の温度の上昇カーブとは異なっており、温度センサー８による検出温度は、液晶表示パネル５の実際の温度に対して誤差を含むこととなる。この温度検出誤差は、電源投入後、ある時間（図１７の例では約４０分）が経過するまでは、経過時間に伴って大きくなる。
【００２２】
このように、温度センサー８により検出された温度データに誤差が含まれる場合、液晶表示パネル５の温度に対応した適切な強調変換パラメータを選択することができず、正しい強調変換データ（書込階調データ）を液晶表示パネル５に供給することが不可能となるため、過小の強調変換データ（書込階調データ）が液晶表示パネル５に供給されて、黒尾引きが発生したり、過大な強調変換データ（書込階調データ）が液晶表示パネル５に供給されて、画素の白点化が生じるなど、表示画像の画質を著しく劣化させてしまうという問題があった。
【００２３】
例えば、図１８に示すように、液晶表示パネル５の温度がＴｈ2（＝２０℃）に達したとき（Ｔｃ２）に、強調変換パラメータLEVEL 2から強調変換パラメータLEVEL 3に切り替えたいにもかかわらず、温度センサー８による検出温度が２０℃に達したとき（Ｔｃ１）に、強調変換パラメータLEVEL 2から強調変換パラメータLEVEL 3への切り替えを実行してしまうため、Ｔｃ１〜Ｔｃ２の時間においては、本来よりも強調変換度合いの小さな強調変換パラメータLEVEL 3を用いて入力画像データの強調変換処理を行うこととなり、黒尾引きによる画質劣化が生じることとなる。
【００２４】
本発明は、上記課題に鑑みてなされたものであり、温度センサーの取り付け位置（液晶表示パネルに対する相対位置関係）にかかわらず、常に適切な強調変換データを求めて、液晶表示パネルに供給することにより、高画質の画像表示を実現することが可能な液晶表示装置を提供するものである。
【課題を解決するための手段】
【００２５】
本発明に係る液晶表示装置は、液晶表示装置内温度を検出する温度検出手段と、少なくとも１垂直期間前の画像データと現垂直期間の画像データとの比較を行って得られる強調変換パラメータを、前記温度検出手段により検出した温度データに応じて制御する制御手段とを備えた液晶表示装置であって、前記制御手段は、前記温度データと、当該装置の直前の電源停止時刻或いは電源停止後経過時間と、該電源停止時の前記温度データに含まれる液晶表示パネルの温度に対する誤差を除去または吸収するための補正量とを用い、前記強調変換パラメータを求めることを特徴とする。
【発明の効果】
【００２６】
本発明の液晶表示装置は、上記のような構成としているので、温度検出手段により検出された温度データに含まれる、液晶表示パネルの温度に対する誤差を補正した上で、強調変換パラメータの可変制御を行うため、温度検出手段の取り付け位置（液晶表示パネルに対する相対位置関係）にかかわらず、常に適切な強調変換データを求めることが可能となり、高画質の画像表示を実現することができる。
【図面の簡単な説明】
【００２７】
【図１】本発明の液晶表示装置の第１の実施例における要部構成を示すブロック図である。
【図２】本発明の液晶表示装置の第１の実施例における制御ＣＰＵの概略構成を示す機能ブロック図である。
【図３】本発明の液晶表示装置の第１の実施例における温度センサーによる検出温度値と参照テーブルメモリとの関係を示す説明図である。
【図４】本発明の液晶表示装置の第２の実施例における制御ＣＰＵの概略構成を示す機能ブロック図である。
【図５】本発明の液晶表示装置の第３の実施例における制御ＣＰＵの概略構成を示す機能ブロック図である。
【図６】本発明の液晶表示装置の第３の実施例における温度センサーによる検出温度値と参照テーブルメモリとの関係を示す説明図である。
【図７】本発明の液晶表示装置の第４の実施例における制御ＣＰＵの概略構成を示す機能ブロック図である。
【図８】本発明の液晶表示装置の第５の実施例における要部構成を示すブロック図である。
【図９】本発明の液晶表示装置の第５の実施例における制御ＣＰＵの概略構成を示す機能ブロック図である。
【図１０】本発明の液晶表示装置の第６の実施例における制御ＣＰＵの概略構成を示す機能ブロック図である。
【図１１】従来の液晶表示装置における要部構成を示すブロック図である。
【図１２】オーバーシュート駆動回路に用いるＯＳテーブルメモリの一例を示す概略説明図である。
【図１３】従来の液晶表示装置における制御ＣＰＵの概略構成を示す機能ブロック図である。
【図１４】従来の液晶表示装置における装置内温度と参照テーブルメモリとの関係を示す説明図である。
【図１５】液晶に加える電圧と液晶の応答との関係を示す説明図である。
【図１６】直下型バックライト方式の液晶表示装置の背面から見た概略構成例を示す説明図である。
【図１７】温度センサーによる検出温度及び液晶表示パネル面の温度と電源投入後の経過時間との関係例を示す説明図である。
【図１８】従来の液晶表示装置において電源投入後の経過時間に対する強調変換パラメータの切り替えタイミング例を示す説明図である。
【発明を実施するための形態】
【実施例１】
【００２８】
以下、本発明の第１の実施例を、図１乃至図３とともに詳細に説明するが、上記従来例と同一部分には同一符号を付し、その説明は省略する。ここで、図１は本実施例の液晶表示装置における要部構成を示すブロック図、図２は本実施例の液晶表示装置における制御ＣＰＵの概略構成を示す機能ブロック図、図３は本実施例の液晶表示装置における温度センサーによる検出温度値と参照テーブルメモリとの関係を示す説明図である。
【００２９】
本実施例の液晶表示装置は、図１に示すように、装置内温度を検出するための温度センサー８と、前記温度センサー８による温度検出データに基づいて、ＯＳテーブルメモリ（ＲＯＭ）１ａ〜１ｄのいずれかを切替選択し、液晶表示パネル５の光学応答特性を補償する強調変換処理を入力画像データに対して施すための制御ＣＰＵ１９とを備えている。ここで、制御ＣＰＵ１９は、温度センサー８により検出された温度データに含まれる、液晶表示パネル５の実際の温度に対する誤差を補正する機能を有している。
【００３０】
ＯＳテーブルメモリ（ＲＯＭ）１ａ〜１ｄは、上述した従来例と同様、それぞれ基準温度Ｔ1、Ｔ2、Ｔ3、Ｔ4（Ｔ1＜Ｔ2＜Ｔ3＜Ｔ4）に対応した、現フレームの画像データと１フレーム前の画像データとから指定される強調変換パラメータLEVEL 1〜LEVEL 4を保持しており、強調変換部３は、制御ＣＰＵ１９からの切替制御信号に応じて、ＯＳテーブルメモリ（ＲＯＭ）１ａ〜１ｄを切替選択し、強調変換パラメータLEVEL 1〜LEVEL 4のいずれかを用いて、液晶コントローラ４へ出力する強調変換データ（書込階調データ）を求める。
【００３１】
ここでは、４段階の温度範囲のそれぞれに対応した４種類のＯＳテーブルメモリ（ＲＯＭ）１ａ〜１ｄを設け、各々のＯＳテーブルメモリ（ＲＯＭ）１ａ〜１ｄを装置内温度の検出データに基づいて切り替え参照することにより、オーバーシュート駆動（強調変換処理）を行うものについて説明するが、３種類以下或いは５種類以上の温度範囲に対応したＯＳテーブルメモリ（ＲＯＭ）を設けても良いことは言うまでもない。
【００３２】
次に、本実施例における制御ＣＰＵ１９は、図２に示すように、温度センサー８の取り付け位置（液晶表示パネル５に対する相対位置関係）等に応じて予め決められた所定の値を、温度センサー８による温度検出データに対して加減算する等の演算式が格納された演算式格納部１９ａと、該演算式格納部１９ａから読み出された演算式を用いて、温度センサー８による温度検出データに補正演算を施す演算部１９ｂとを有している。
【００３３】
また、該演算部１９ｂにより演算が施された温度データと、予め決められた所定の閾値温度データ値Ｔｈ1（＝（Ｔ1＋Ｔ2）／２），Ｔｈ2（＝（Ｔ2＋Ｔ3）／２），Ｔｈ3（＝（Ｔ3＋Ｔ4）／２）とを比較する閾値判別部１９ｃと、該閾値判別部１９ｃによる比較結果に応じて、ＯＳテーブルメモリ（ＲＯＭ）１ａ〜１ｄのいずれかを選択し、強調変換パラメータLEVEL 1〜LEVEL 4を切り替えるための切替制御信号を生成する制御信号出力部１９ｄとを有している。
【００３４】
ここで、例えば図１７に示したように、温度センサー８による検出温度と液晶表示パネル５の実際の温度との最大格差が６℃（電源投入後、約４０分が経過すると飽和温度に達し、双方の温度差（＝６℃）は変化しない）であって、強調変換パラメータLEVEL 1〜LEVEL 4の切替温度の許容誤差が±３℃である場合、演算部１９ｂは温度センサー８による温度検出データから一定の値（＝３℃）を減算することで、常に強調変換パラメータLEVEL 1〜LEVEL 4の切替誤差を許容範囲内に収めることが可能となる。
【００３５】
すなわち、本実施例の演算部１９ｂにおいては、温度センサー８で検出された装置内温度Ｔと実際の液晶表示パネル５の温度との間で生じる誤差を補正するため、演算式格納部１９ａより読み出された演算式（Ｔ−３）を用いて、温度センサー８による温度検出データから誤差を除去した上で、閾値判別部１９ｃに出力する。
【００３６】
従って、図３に示すように、温度センサー８で検出された装置内温度Ｔ−３℃が閾値温度Ｔｈ1（＝１０℃）以下の場合、すなわち、温度センサー８で検出された装置内温度Ｔが１３℃以下であれば、制御ＣＰＵ１９は強調変換部３に対し、ＯＳテーブルメモリ（ＲＯＭ）１ａを選択して参照するように指示する。これによって、強調変換部３はＯＳテーブルメモリ（ＲＯＭ）１ａに格納されている強調変換パラメータLEVEL 1を用いて、入力画像データの強調変換処理を行う。
【００３７】
また、温度センサー８で検出された装置内温度Ｔ−３℃が切替閾値温度Ｔｈ1（＝１０℃）より大きく且つ切替閾値温度Ｔｈ2（＝２０℃）以下の場合、すなわち、温度センサー８で検出された装置内温度Ｔが１３℃より大きく且つ２３℃以下であれば、制御ＣＰＵ１９は強調変換部３に対し、ＯＳテーブルメモリ（ＲＯＭ）１ｂを選択して参照するように指示する。これによって、強調変換部３はＯＳテーブルメモリ（ＲＯＭ）１ｂに格納されている強調変換パラメータLEVEL 2を用いて、入力画像データの強調変換処理を行う。
【００３８】
さらに、温度センサー８で検出された装置内温度Ｔ−３℃が切替閾値温度Ｔｈ2（＝２０℃）より大きく且つ切替閾値温度Ｔｈ3（＝３０℃）以下の場合、温度センサー８で検出された装置内温度Ｔが２３℃より大きく且つ３３℃以下であれば、制御ＣＰＵ１９は強調変換部３に対し、ＯＳテーブルメモリ（ＲＯＭ）１ｃを選択して参照するように指示する。これによって、強調変換部３はＯＳテーブルメモリ（ＲＯＭ）１ｃに格納されている強調変換パラメータLEVEL 3を用いて、入力画像データの強調変換処理を行う。
【００３９】
そしてまた、温度センサー８で検出された装置内温度Ｔ−３℃が切替閾値温度がＴｈ3（＝３０℃）より大きい場合、すなわち、温度センサー８で検出された装置内温度Ｔが３３℃より大きければ、制御ＣＰＵ１９は強調変換部３に対し、ＯＳテーブルメモリ（ＲＯＭ）１ｄを選択して参照するように指示する。これによって、強調変換部３はＯＳテーブルメモリ（ＲＯＭ）１ｄに格納されている強調変換パラメータLEVEL 4を用いて、入力画像データの強調変換処理を行う。
【００４０】
以上のように、本実施例の液晶表示装置においては、温度センサー８で検出した温度データが実際の液晶表示パネル５の温度と異なり、誤差を含んでいる場合であっても、この温度誤差を除去すべく補正演算した上で、予め決められた所定の閾値温度データ値Ｔｈ1，Ｔｈ2，Ｔｈ3と比較し、強調変換パラメータLEVEL 1〜LEVEL 4を切替可変するための切替制御信号を生成しているので、常に適切な強調変換データを求めて、液晶表示パネル５に供給することが可能となり、高画質の画像表示を実現することができる。
【００４１】
また、本実施例においては、強調変換パラメータLEVEL 1〜LEVEL 4の切替誤差が許容範囲内に収まるように、温度センサー８による検出温度データに対して常に予め決められた固定の値を加減算するという極めて簡単な演算により、温度センサー８により検出された温度データに含まれる、液晶表示パネル５の温度に対する誤差を補正（除去）することができ、適切な強調変換パラメータLEVEL 1〜LEVEL 4を切替選択することが可能である。
【００４２】
尚、上記第１の実施例においては、強調変換部３とＯＳテーブルメモリ（ＲＯＭ）１ａ〜１ｄとによって強調変換データ（書込階調データ）を求める構成としているが、ＯＳテーブルメモリを設ける代わりに、例えば遷移前の階調と遷移後の階調とを変数とする２次元関数ｆ（pre，cur）により、液晶表示パネル５の光学応答特性を補償する強調変換データ（書込階調データ）を求める構成としても良い。
【実施例２】
【００４３】
次に、本発明の第２の実施例について、図４とともに詳細に説明するが、上述した第１の実施例と同一部分には同一符号を付し、その説明は省略する。ここで、図４は本実施例の液晶表示装置における制御ＣＰＵの概略構成を示す機能ブロック図である。本実施例の液晶表示装置は、図１とともに上述した第１の実施例と基本構成は同様であり、強調変換パラメータを可変制御するための制御ＣＰＵの内部構成のみが異なるため、この点について以下説明する。
【００４４】
本実施例における制御ＣＰＵ２９は、図４に示すように、温度センサー８の取り付け位置（液晶表示パネル５に対する相対位置関係）等に応じて予め決められた所定の閾値温度データが格納された閾値温度データ格納部２９ａと、該閾値温度データ格納部２９ａから読み出された閾値温度データ値Ｔｈ1’，Ｔｈ2’，Ｔｈ3’と、温度センサー８による温度検出データとを比較する閾値判別部２９ｃと、該閾値判別部２９ｃによる比較結果に応じて、ＯＳテーブルメモリ（ＲＯＭ）１ａ〜１ｄのいずれかを選択し、強調変換パラメータLEVEL 1〜LEVEL 4を切り替えるための切替制御信号を生成する制御信号出力部２９ｄとを有している。
【００４５】
ここで、例えば図１７に示したように、温度センサー８による検出温度と液晶表示パネル５の実際の温度との最大格差が６℃（電源投入後、約４０分が経過すると飽和温度に達し、双方の温度差（＝６℃）は変化しない）であって、強調変換パラメータLEVEL 1〜LEVEL 4の切替温度の許容誤差が±３℃である場合、本来の切替閾値温度Ｔｈ1（＝（Ｔ1＋Ｔ2）／２），Ｔｈ2（＝（Ｔ2＋Ｔ3）／２），Ｔｈ3（＝（Ｔ3＋Ｔ4）／２）に一定の値（＝３℃）を加算したものを、閾値判別部２９ｃで用いる閾値温度データとすることによって、常に強調変換パラメータLEVEL 1〜LEVEL 4の切替誤差を許容範囲内に収めることが可能となる。
【００４６】
すなわち、本実施例の閾値判別部２９ｃにおいては、温度センサー８で検出された装置内温度Ｔと実際の液晶表示パネル５の温度との間で生じる誤差を補正（吸収）するため、閾値温度データ格納部２９ａより読み出された閾値温度データ値Ｔｈ1’（＝Ｔｈ1＋３℃），Ｔｈ2’（＝Ｔｈ2＋３℃），Ｔｈ3’（＝Ｔｈ3＋３℃）を用いて、温度センサー８による温度検出データとの比較を行う。
【００４７】
従って、温度センサー８で検出された装置内温度Ｔが切替閾値温度Ｔｈ1’（＝１３℃）以下であれば、制御ＣＰＵ２９は強調変換部３に対し、ＯＳテーブルメモリ（ＲＯＭ）１ａを選択して参照するように指示する。これによって、強調変換部３はＯＳテーブルメモリ（ＲＯＭ）１ａに格納されている強調変換パラメータLEVEL 1を用いて、入力画像データの強調変換処理を行う。
【００４８】
また、温度センサー８で検出された装置内温度Ｔが切替閾値温度Ｔｈ1’（＝１３℃）より大きく且つ切替閾値温度Ｔｈ2’（＝２３℃）以下であれば、制御ＣＰＵ２９は強調変換部３に対し、ＯＳテーブルメモリ（ＲＯＭ）１ｂを選択して参照するように指示する。これによって、強調変換部３はＯＳテーブルメモリ（ＲＯＭ）１ｂに格納されている強調変換パラメータLEVEL 2を用いて、入力画像データの強調変換処理を行う。
【００４９】
さらに、温度センサー８で検出された装置内温度Ｔが切替閾値温度Ｔｈ2’（＝２３℃）より大きく且つ切替閾値温度Ｔｈ3’（＝３３℃）以下であれば、制御ＣＰＵ２９は強調変換部３に対し、ＯＳテーブルメモリ（ＲＯＭ）１ｃを選択して参照するように指示する。これによって、強調変換部３はＯＳテーブルメモリ（ＲＯＭ）１ｃに格納されている強調変換パラメータLEVEL 3を用いて、入力画像データの強調変換処理を行う。
【００５０】
そしてまた、温度センサー８で検出された装置内温度Ｔが切替閾値温度Ｔｈ3’（＝３３℃）より大きければ、制御ＣＰＵ２９は強調変換部３に対し、ＯＳテーブルメモリ（ＲＯＭ）１ｄを選択して参照するように指示する。これによって、強調変換部３はＯＳテーブルメモリ（ＲＯＭ）１ｄに格納されている強調変換パラメータLEVEL 4を用いて、入力画像データの強調変換処理を行う。
【００５１】
以上のように、本実施例の液晶表示装置においては、温度センサー８で検出した温度データが実際の液晶表示パネル５の温度と異なり、誤差を含んでいる場合であっても、この温度誤差を吸収すべく閾値温度データＴｈ1’，Ｔｈ2’，Ｔｈ3’を用いて、温度センサー８による温度検出データの比較判別を行うことにより、強調変換パラメータLEVEL 1〜LEVEL 4を切替可変するための切替制御信号を生成しているので、常に適切な強調変換データを求めて、液晶表示パネル５に供給することが可能となり、高画質の画像表示を実現することができる。
【００５２】
また、本実施例においては、強調変換パラメータLEVEL 1〜LEVEL 4の切替誤差が許容範囲内に収まるように、温度センサー８の取り付け位置（液晶表示パネル５に対する相対位置関係）等に応じて予め決められた値を閾値温度データとして、温度センサー８による検出温度データの比較判別を行うという極めて簡単な構成により、温度センサー８により検出された温度データに含まれる、液晶表示パネル５の温度に対する誤差を補正（吸収）することができ、適切な強調変換パラメータLEVEL 1〜LEVEL 4を切替選択することが可能である。
【実施例３】
【００５３】
次に、本発明の第３の実施例について、図５及び図６とともに詳細に説明するが、上述した第１の実施例と同一部分には同一符号を付し、その説明は省略する。ここで、図５は本実施例の液晶表示装置における制御ＣＰＵの概略構成を示す機能ブロック図、図６は本実施例の液晶表示装置における温度センサーによる検出温度値と参照テーブルメモリとの関係を示す説明図である。本実施例の液晶表示装置は、図１とともに上述した第１の実施例と基本構成は同様であり、強調変換パラメータを可変制御するための制御ＣＰＵの内部構成のみが異なるため、この点について以下説明する。
【００５４】
すなわち、温度センサー８により検出された温度データに含まれる、前記液晶表示パネルの温度に対する誤差は、電源投入後の経過時間に応じて変化するため、本実施例の液晶表示装置においては、電源投入後の経過時間に応じて、温度センサー８により検出された温度データに加える演算（補正量）を適宜可変している。
【００５５】
本実施例における制御ＣＰＵ３９は、図５に示すように、電源投入後の経過時間をカウントする計時部３９ｅと、該計時部３９ｅによる電源投入後の経過時間に応じて決められる所定の値を、温度センサー８による温度検出データに対して加減算する等の演算式が格納された演算式格納部３９ａと、該演算式格納部３９ａから読み出された演算式を用いて、温度センサー８による温度検出データに補正演算を施す演算部３９ｂとを有している。
【００５６】
また、該演算部３９ｂにより演算が施された温度データと、予め決められた所定の閾値温度データ値Ｔｈ1（＝（Ｔ1＋Ｔ2）／２），Ｔｈ2（＝（Ｔ2＋Ｔ3）／２），Ｔｈ3（＝（Ｔ3＋Ｔ4）／２）とを比較する閾値判別部３９ｃと、該閾値判別部３９ｃによる比較結果に応じて、ＯＳテーブルメモリ（ＲＯＭ）１ａ〜１ｄのいずれかを選択し、強調変換パラメータLEVEL 1〜LEVEL 4を切り替えるための切替制御信号を生成する制御信号出力部１９ｄとを有している。
【００５７】
ここで、例えば図１７に示したように、電源投入後の時間経過に伴い、温度センサー８による検出温度と液晶表示パネル５における実際の温度との格差が大きくなり、電源投入後、約４０分が経過すると飽和温度に達し、双方の温度差（＝６℃）が変化しなくなる場合、演算部３９ｂは電源投入後の経過時間に応じた可変の値（＝０〜６℃）を温度センサー８による温度検出データから減算することで、常に最適な強調変換パラメータLEVEL 1〜LEVEL 4の切替動作を実現することが可能となる。
【００５８】
すなわち、本実施例の演算部３９ｂにおいては、温度センサー８で検出された装置内温度Ｔと実際の液晶表示パネル５の温度との間で生じる誤差を補正するため、演算式格納部１９ａより読み出された演算式（Ｔ−α）（αは０〜６℃の範囲で電源投入後の経過時間に応じて可変）を用いて、温度センサー８による温度検出データから誤差を除去した上で、閾値判別部１９ｃに出力する。
【００５９】
ここでは、電源投入直後は補正量α＝０、電源投入後３分経過後は補正量α＝１、電源投入後６分経過後は補正量α＝２、電源投入後１０分経過後は補正量α＝３、電源投入後２０分経過後は補正量α＝４、電源投入後３０分経過後は補正量α＝５、電源投入後４０分経過後は補正量α＝６が、計時部３９ｅによるカウント時間によって選択され、演算部３９ｂに読み出される。
【００６０】
従って、図６に示すように、温度センサー８で検出された装置内温度Ｔ−α℃が閾値温度Ｔｈ1（＝１０℃）以下の場合、すなわち、温度センサー８で検出された装置内温度Ｔが（１０＋α）℃以下であれば、制御ＣＰＵ３９は強調変換部３に対し、ＯＳテーブルメモリ（ＲＯＭ）１ａを選択して参照するように指示する。これによって、強調変換部３はＯＳテーブルメモリ（ＲＯＭ）１ａに格納されている強調変換パラメータLEVEL 1を用いて、入力画像データの強調変換処理を行う。
【００６１】
また、温度センサー８で検出された装置内温度Ｔ−α℃が切替閾値温度Ｔｈ1（＝１０℃）より大きく且つ切替閾値温度Ｔｈ2（＝２０℃）以下の場合、すなわち、温度センサー８で検出された装置内温度Ｔが（１０＋α）℃より大きく且つ（２０＋α）℃以下であれば、制御ＣＰＵ３９は強調変換部３に対し、ＯＳテーブルメモリ（ＲＯＭ）１ｂを選択して参照するように指示する。これによって、強調変換部３はＯＳテーブルメモリ（ＲＯＭ）１ｂに格納されている強調変換パラメータLEVEL 2を用いて、入力画像データの強調変換処理を行う。
【００６２】
さらに、温度センサー８で検出された装置内温度Ｔ−α℃が切替閾値温度Ｔｈ2（＝２０℃）より大きく且つ切替閾値温度Ｔｈ3（＝３０℃）以下の場合、温度センサー８で検出された装置内温度Ｔが（２０＋α）℃より大きく且つ（３０＋α）℃以下であれば、制御ＣＰＵ３９は強調変換部３に対し、ＯＳテーブルメモリ（ＲＯＭ）１ｃを選択して参照するように指示する。これによって、強調変換部３はＯＳテーブルメモリ（ＲＯＭ）１ｃに格納されている強調変換パラメータLEVEL 3を用いて、入力画像データの強調変換処理を行う。
【００６３】
そしてまた、温度センサー８で検出された装置内温度Ｔ−α℃が切替閾値温度Ｔｈ3（＝３０℃）より大きい場合、すなわち、温度センサー８で検出された装置内温度Ｔが（３０＋α）℃より大きければ、制御ＣＰＵ３９は強調変換部３に対し、ＯＳテーブルメモリ（ＲＯＭ）１ｄを選択して参照するように指示する。これによって、強調変換部３はＯＳテーブルメモリ（ＲＯＭ）１ｄに格納されている強調変換パラメータLEVEL 4を用いて、入力画像データの強調変換処理を行う。
【００６４】
以上のように、本実施例の液晶表示装置においては、温度センサー８で検出した温度データが実際の液晶表示パネル５の温度と異なり、誤差を含んでいる場合であっても、この温度誤差を除去すべく補正演算した上で、予め決められた所定の閾値温度データ値Ｔｈ1，Ｔｈ2，Ｔｈ3と比較し、強調変換パラメータLEVEL 1〜LEVEL 4を切替可変するための切替制御信号を生成しているので、常に適切な強調変換データを求めて、液晶表示パネル５に供給することが可能となり、高画質の画像表示を実現することができる。
【００６５】
また、本実施例においては、温度センサー８による検出温度データに対して、当該装置の電源投入後の経過時間に応じて決められた値を加減算するという簡単な演算により、温度センサー８により検出された温度データに含まれる、液晶表示パネル５の温度に対する誤差を補正（除去）することができ、常に最適な強調変換パラメータLEVEL 1〜LEVEL 4を切替選択することが可能である。
【実施例４】
【００６６】
次に、本発明の第４の実施例について、図７とともに詳細に説明するが、上述した第２の実施例と同一部分には同一符号を付し、その説明は省略する。ここで、図７は本実施例の液晶表示装置における制御ＣＰＵの概略構成を示す機能ブロック図である。本実施例の液晶表示装置は、上述した第３の実施例と同様、温度センサーによる検出温度に含まれる誤差を、電源投入後の経過時間に応じて適切に補正するものであるが、強調変換パラメータを可変制御するための制御ＣＰＵの内部構成が異なっている。
【００６７】
すなわち、温度センサー８により検出された温度データに含まれる、液晶表示パネル５の温度に対する誤差は、電源投入後の経過時間に応じて変化するため、本実施例の液晶表示装置においては、電源投入後の経過時間に応じて、温度センサー８により検出された温度データと比較する閾値温度データを適宜可変している。
【００６８】
本実施例における制御ＣＰＵ４９は、図７に示すように、電源投入後の経過時間をカウントする計時部４９ｅと、該計時部４９ｅによる電源投入後の経過時間に応じて決められる所定の閾値温度データが格納された閾値温度データ格納部４９ａと、該閾値温度データ格納部４９ａから読み出された閾値温度データ値Ｔｈ1’，Ｔｈ2’，Ｔｈ3’と、温度センサー８による温度検出データとを比較する閾値判別部４９ｃと、該閾値判別部４９ｃによる比較結果に応じて、ＯＳテーブルメモリ（ＲＯＭ）１ａ〜１ｄのいずれかを選択し、強調変換パラメータLEVEL 1〜LEVEL 4を切り替えるための切替制御信号を生成する制御信号出力部４９ｄとを有している。
【００６９】
ここで、例えば図１７に示したように、電源投入後の時間経過に伴い、温度センサー８による検出温度と液晶表示パネル５における実際の温度との格差が大きくなり、電源投入後、約４０分が経過すると飽和温度に達し、双方の温度差（＝６℃）が変化しなくなる場合、電源投入後の経過時間に応じた可変の値（＝０〜６℃）を本来の切替閾値温度Ｔｈ1（＝（Ｔ1＋Ｔ2）／２），Ｔｈ2（＝（Ｔ2＋Ｔ3）／２），Ｔｈ3（＝（Ｔ3＋Ｔ4）／２）に加算したものを、閾値判別部４９ｃで用いる閾値温度データとすることによって、常に最適な強調変換パラメータLEVEL 1〜LEVEL 4の切替動作を実現することが可能となる。
【００７０】
すなわち、本実施例の閾値判別部４９ｃにおいては、温度センサー８で検出された装置内温度Ｔと実際の液晶表示パネル５の温度との間で生じる誤差を補正（吸収）するため、閾値温度データ格納部４９ａより読み出された閾値温度データ値Ｔｈ1’（＝Ｔｈ1＋α），Ｔｈ2’（＝Ｔｈ2＋α），Ｔｈ3’（＝Ｔｈ3＋α）（αは０〜６℃の範囲で電源投入後の経過時間に応じて可変）を用いて、温度センサー８による温度検出データとの比較を行う。
【００７１】
ここでは、電源投入直後は補正量α＝０、電源投入後３分経過後は補正量α＝１、電源投入後６分経過後は補正量α＝２、電源投入後１０分経過後は補正量α＝３、電源投入後２０分経過後は補正量α＝４、電源投入後３０分経過後は補正量α＝５、電源投入後４０分経過後は補正量α＝６が、計時部４９ｅによるカウント時間によって選択され、閾値判別部４９ｃに読み出される。
【００７２】
従って、温度センサー８で検出された装置内温度Ｔが切替閾値温度Ｔｈ1’（＝１０＋α℃）以下であれば、制御ＣＰＵ４９は強調変換部３に対し、ＯＳテーブルメモリ（ＲＯＭ）１ａを選択して参照するように指示する。これによって、強調変換部３はＯＳテーブルメモリ（ＲＯＭ）１ａに格納されている強調変換パラメータLEVEL 1を用いて、入力画像データの強調変換処理を行う。
【００７３】
また、温度センサー８で検出された装置内温度Ｔが切替閾値温度Ｔｈ1’（＝１０＋α℃）より大きく且つ切替閾値温度Ｔｈ2’（＝２０＋α℃）以下であれば、制御ＣＰＵ４９は強調変換部３に対し、ＯＳテーブルメモリ（ＲＯＭ）１ｂを選択して参照するように指示する。これによって、強調変換部３はＯＳテーブルメモリ（ＲＯＭ）１ｂに格納されている強調変換パラメータLEVEL 2を用いて、入力画像データの強調変換処理を行う。
【００７４】
さらに、温度センサー８で検出された装置内温度Ｔが切替閾値温度Ｔｈ2’（＝２０＋α℃）より大きく且つ切替閾値温度Ｔｈ3’（＝３０＋α℃）以下であれば、制御ＣＰＵ４９は強調変換部３に対し、ＯＳテーブルメモリ（ＲＯＭ）１ｃを選択して参照するように指示する。これによって、強調変換部３はＯＳテーブルメモリ（ＲＯＭ）１ｃに格納されている強調変換パラメータLEVEL 3を用いて、入力画像データの強調変換処理を行う。
【００７５】
そしてまた、温度センサー８で検出された装置内温度Ｔが切替閾値温度Ｔｈ3’（＝３０＋α℃）より大きければ、制御ＣＰＵ４９は強調変換部３に対し、ＯＳテーブルメモリ（ＲＯＭ）１ｄを選択して参照するように指示する。これによって、強調変換部３はＯＳテーブルメモリ（ＲＯＭ）１ｄに格納されている強調変換パラメータLEVEL 4を用いて、入力画像データの強調変換処理を行う。
【００７６】
以上のように、本実施例の液晶表示装置においては、温度センサー８で検出した温度データが実際の液晶表示パネル５の温度と異なり、誤差を含んでいる場合であっても、この温度誤差を吸収すべく閾値温度データＴｈ1’，Ｔｈ2’，Ｔｈ3’を用いて、温度センサー８による温度検出データの比較判別を行うことにより、強調変換パラメータLEVEL 1〜LEVEL 4を切替可変するための切替制御信号を生成しているので、常に適切な強調変換データを求めて、液晶表示パネル５に供給することが可能となり、高画質の画像表示を実現することができる。
【００７７】
また、本実施例においては、当該装置の電源投入後の経過時間に応じて決められた値を閾値温度データとして、温度センサー８による検出温度データの比較判別を行うという簡単な構成により、温度センサー８により検出された温度データに含まれる、液晶表示パネル５の温度に対する誤差を補正（吸収）することができ、常に最適な強調変換パラメータLEVEL 1〜LEVEL 4を切替選択することが可能である。
【００７８】
尚、上述した本発明の第３、第４の実施例においては、電源投入時における温度センサー８の検出温度と液晶表示パネル５の実際温度とが一致していることを前提としているが、例えば長時間視聴した装置を一旦電源オフした後、すぐにまた電源オンした場合などは、温度センサー８の検出温度に含まれる誤差を正しく補正することができず、最適な強調変換パラメータLEVEL 1〜LEVEL 4を切替選択することができない可能性もある。
【００７９】
このため、直前の電源停止時刻或いは電源停止後経過時間、及び該電源停止時の演算式或いは閾値温度データ値（補正量）を記憶しておき、これらを用いて電源投入時における温度センサー８の検出温度と液晶表示パネル５の実際温度との差を推測することにより、適切な演算式或いは閾値温度データ値（補正量）を読み出して、温度センサー８の検出温度に含まれる誤差を正しく補正するようにしても良い。
【００８０】
また、温度センサー８による装置内の検出温度と周囲温度（装置外温度）とから、液晶表示パネル５における実際の温度を推定することにより、適切な強調変換パラメータLEVEL 1〜LEVEL 4を切替選択する構成としても良い。これについて、以下詳細に説明する。
【実施例５】
【００８１】
次に、本発明の第５の実施例について、図８及び図９とともに詳細に説明するが、上述した第１の実施例と同一部分には同一符号を付し、その説明は省略する。ここで、図８は本実施形態の液晶表示装置における要部構成を示すブロック図、図９は本実施例の液晶表示装置における制御ＣＰＵの概略構成を示す機能ブロック図である。
【００８２】
本実施例の液晶表示装置は、図８に示すように、図１とともに上述した第１の実施例の構成に加えて、装置外の周囲温度（室内環境温度）を検出する温度センサー５８を備えている。この温度センサー５８はできるだけ当該装置による発熱の影響を受けない箇所に設けられるのが望ましい。また、例えばホームネットワーク等を介して外部装置より、装置外の周囲温度を取得する構成としても良い。
【００８３】
さらに、本実施例の制御ＣＰＵ５９は、図９に示すように、温度センサー８による装置内の温度検出データと温度センサー５８による装置外の温度検出データとに応じて決められる所定の値を、温度センサー８による温度検出データに対して加減算する等の演算式が格納された演算式格納部５９ａと、該演算式格納部５９ａから読み出された演算式を用いて、温度センサー８による温度検出データに補正演算を施す演算部５９ｂとを有している。
【００８４】
また、該演算部５９ｂにより演算が施された温度データと、予め決められた所定の閾値温度データ値Ｔｈ1（＝（Ｔ1＋Ｔ2）／２），Ｔｈ2（＝（Ｔ2＋Ｔ3）／２），Ｔｈ3（＝（Ｔ3＋Ｔ4）／２）とを比較する閾値判別部５９ｃと、該閾値判別部５９ｃによる比較結果に応じて、ＯＳテーブルメモリ（ＲＯＭ）１ａ〜１ｄのいずれかを選択し、強調変換パラメータLEVEL 1〜LEVEL 4を切り替えるための切替制御信号を生成する制御信号出力部５９ｄとを有している。
【００８５】
すなわち、当該装置外の周囲温度毎に、温度センサー８による検出温度に対する、液晶表示パネル５における実際の温度（実測値）を予めパターン化しておくことで、温度センサー８により検出された温度データに含まれる、液晶表示パネル５の温度に対する誤差を検知することができ、この温度誤差を補正することにより、常に適切な強調変換パラメータLEVEL 1〜LEVEL 4を切り替えるための切替制御信号を出力することが可能となる。
【００８６】
例えば図１７に示したように、周囲温度が約２７℃である場合、温度センサー８による検出温度が４１℃であれば、液晶表示パネル５における実際の温度は３７℃（誤差；４℃）、温度センサー８による検出温度が４７℃であれば、液晶表示パネル５における実際の温度は３１℃（誤差；６℃）であることを判定することができる。
【００８７】
従って、本実施例の演算部５９ｂにおいては、温度センサー８で検出された装置内温度Ｔと実際の液晶表示パネル５の温度との間で生じる誤差を補正するため、温度センサー８による装置内の温度検出データと温度センサー５８による装置外の温度検出データとに応じて補正量αを可変した上で、演算式格納部１９ａより読み出された演算式（Ｔ−α）を用いて、温度センサー８による温度検出データから誤差を除去することが可能となる。
【００８８】
以上のように、本実施例の液晶表示装置においては、温度センサー８で検出した温度データが実際の液晶表示パネル５の温度と異なり、誤差を含んでいる場合であっても、この温度誤差を除去すべく補正演算した上で、予め決められた所定の閾値温度データ値Ｔｈ1，Ｔｈ2，Ｔｈ3と比較し、強調変換パラメータLEVEL 1〜LEVEL 4を切替可変するための切替制御信号を生成しているので、常に適切な強調変換データを求めて、液晶表示パネル５に供給することが可能となり、高画質の画像表示を実現することができる。
【００８９】
また、本実施例においては、温度センサー８による検出温度データに対して、当該装置内外のセンサー検出温度に応じて決められた値を加減算することにより、温度センサー８により検出された温度データに含まれる、液晶表示パネル５の温度に対する誤差を補正（除去）することができ、電源オン／オフを繰り返すなどの使用形態にかかわらず、常に最適な強調変換パラメータLEVEL 1〜LEVEL 4を切替選択することが可能である。
【実施例６】
【００９０】
次に、本発明の第６の実施例について、図１０とともに詳細に説明するが、上述した第２の実施例と同一部分には同一符号を付し、その説明は省略する。ここで、図１０は本実施例の液晶表示装置における制御ＣＰＵの概略構成を示す機能ブロック図である。本実施形態の液晶表示装置は、上述した第５の実施例と同様、温度センサーによる検出温度に含まれる誤差を、当該装置内外のセンサー検出温度に応じて適切に補正するものであるが、強調変換パラメータを可変制御するための制御ＣＰＵの内部構成が異なっている。
【００９１】
すなわち、温度センサー８により検出された温度データに含まれる、液晶表示パネル５の温度に対する誤差は、温度センサー８による装置内の温度検出データと温度センサー５８による装置外の温度検出データとから推定することができるため、本実施例の液晶表示装置においては、各温度センサー８、５８による当該装置内外のセンサー検出温度に応じて、温度センサー８により検出された温度データと比較する閾値温度データを適宜可変している。
【００９２】
本実施例における制御ＣＰＵ６９は、図１０に示すように、温度センサー８による装置内の温度検出データと温度センサー５８による装置外の温度検出データとに応じて決められる所定の閾値温度データが格納された閾値温度データ格納部６９ａと、該閾値温度データ格納部６９ａから読み出された閾値温度データ値Ｔｈ1’，Ｔｈ2’，Ｔｈ3’と、温度センサー８による温度検出データとを比較する閾値判別部６９ｃと、該閾値判別部６９ｃによる比較結果に応じて、ＯＳテーブルメモリ（ＲＯＭ）１ａ〜１ｄのいずれかを選択し、強調変換パラメータLEVEL 1〜LEVEL 4を切り替えるための切替制御信号を生成する制御信号出力部６９ｄとを有している。
【００９３】
すなわち、当該装置外の周囲温度毎に、温度センサー８による検出温度に対する、液晶表示パネル５における実際の温度（実測値）を予めパターン化しておくことで、温度センサー８により検出された温度データに含まれる、液晶表示パネル５の温度に対する誤差を検知することができ、この温度誤差を補正することにより、常に適切な強調変換パラメータLEVEL 1〜LEVEL 4を切り替えるための切替制御信号を出力することが可能となる。
【００９４】
例えば図１７に示したように、周囲温度が約２７℃である場合、温度センサー８による検出温度が４１℃であれば、液晶表示パネル５における実際の温度は３７℃（誤差；４℃）、温度センサー８による検出温度が４７℃であれば、液晶表示パネル５における実際の温度は３１℃（誤差；６℃）であることを判定することができる。
【００９５】
従って、本実施例の閾値判別部６９ｃにおいては、温度センサー８で検出された装置内温度Ｔと実際の液晶表示パネル５の温度との間で生じる誤差を補正（吸収）するため、温度センサー８による装置内の温度検出データと温度センサー５８による装置外の温度検出データとに応じて補正量αを可変した上で、閾値温度データ格納部６９ａより読み出された閾値温度データ値Ｔｈ1’（＝Ｔｈ1＋α），Ｔｈ2’（＝Ｔｈ2＋α），Ｔｈ3’（＝Ｔｈ3＋α）を用いて、温度センサー８による温度検出データとの比較を行う。
【００９６】
以上のように、本実施例の液晶表示装置においては、温度センサー８で検出した温度データが実際の液晶表示パネル５の温度と異なり、誤差を含んでいる場合であっても、この温度誤差を吸収すべく閾値温度データＴｈ1’，Ｔｈ2’，Ｔｈ3’を用いて、温度センサー８による温度検出データの比較判別を行うことにより、強調変換パラメータLEVEL 1〜LEVEL 4を切替可変するための切替制御信号を生成しているので、常に適切な強調変換データを求めて、液晶表示パネル５に供給することが可能となり、高画質の画像表示を実現することができる。
【００９７】
また、本実施例においては、当該装置内外のセンサー検出温度に応じて決められた値を閾値温度データとして、温度センサー８による検出温度データの比較判別を行うことにより、温度センサー８により検出された温度データに含まれる、液晶表示パネル５の温度に対する誤差を補正（吸収）することができ、電源オン／オフを繰り返すなどの使用形態にかかわらず、常に最適な強調変換パラメータLEVEL 1〜LEVEL 4を切替選択することが可能である。
【００９８】
尚、上述した本発明の各実施例においては、各温度範囲に対応した強調変換パラメータLEVEL 1〜LEVEL 4を、それぞれ個別に設けられたＯＳテーブルメモリ（ＲＯＭ）１ａ〜１ｄに格納しているが、単一のＯＳテーブルメモリ（ＲＯＭ）の異なるテーブル領域に格納しておき、制御ＣＰＵ１９，２９からの切替制御信号に応じて、参照するテーブル領域を適応的に切り替えることにより、強調変換パラメータLEVEL 1〜LEVEL 4を切替選択して、強調変換データを求めるように構成しても良い。
【符号の説明】
【００９９】
１ａ〜１ｄ  ＯＳテーブルメモリ（ＲＯＭ）
２  フレームメモリ
３  強調変換部
４  液晶コントローラ
５  液晶表示パネル
６  ゲートドライバ
７  ソースドライバ
８、５８  温度センサー
１９、２９、３９、４９、５９、６９  制御ＣＰＵ
【図１】
2011008270.tif 000003
【図２】
2011008270.tif 000004
【図３】
2011008270.tif 000005
【図４】
2011008270.tif 000006
【図５】
2011008270.tif 000007
【図６】
2011008270.tif 000008
【図７】
2011008270.tif 000009
【図８】
2011008270.tif 000010
【図９】
2011008270.tif 000011
【図１０】
2011008270.tif 000012
【図１１】
2011008270.tif 000013
【図１２】
2011008270.tif 000014
【図１３】
2011008270.tif 000015
【図１４】
2011008270.tif 000016
【図１５】
2011008270.tif 000017
【図１６】
2011008270.tif 000018
【図１７】
2011008270.tif 000019
【図１８】
2011008270.tif 000020